(57)【要約】【課題】従来の伝送線路型ノイズフィルタよりもインダクタンスを低減可能な電気素子を提供する。【解決手段】電気素子１００は、陽極電極１０，２０と、陰極電極３０と、導体板４１，４２，５１，５２とを備える。陽極電極１０は、電気素子１００の長さ方向ＤＲ１において導体板４１，４２の一方端に接続され、陽極電極２０は、電気素子１００の長さ方向ＤＲ１において導体板４１，４２の他方端に接続される。陰極電極３０は、電気素子１００の幅方向ＤＲ２における導体板５１，５２の両端に接続される。そして、電気素子１００の全長から陽極電極１０，２０および陰極電極３０の長さを減算した減算結果を電気素子１００の全長で除算した値は、従来の電気素子の全長から陽極電極および陰極電極の長さを減算した減算結果を従来の電気素子の全長で除算した値よりも小さい値に設定される。【選択図】図１
2010177717.tif 000002
【特許請求の範囲】
【請求項１】
基準電気素子のインダクタンスよりも小さいインダクタンスを有する電気素子であって、
前記基準電気素子は、２つの陽極電極に接続され、かつ、幅が前記基準電気素子の幅よりも狭い陽極導体板を含み、
前記基準電気素子において、前記陽極導体板の長さから前記基準電気素子の長さ方向における陰極電極の長さを減算した減算結果を前記基準電気素子の長さで除算した値は、基準値以上であり、
前記電気素子は、
当該電気素子の長さ方向の両端にそれぞれ設けられた第１および第２の引出部を含む第１の導体板と、
当該電気素子の幅方向の両端にそれぞれ設けられた第３および第４の引出部を含む第２の導体板と、
前記第１の導体板と前記第２の導体板との間に配置された誘電体層と、
前記第１の導体板の前記第１の引出部に接続された第１の陽極電極と、
前記第１の導体板の前記第２の引出部に接続された第２の陽極電極と、
前記第２の導体板の前記第３および第４の引出部に接続された陰極電極とを備え、
当該電気素子の長さ方向における前記第１の引出部と前記第３および第４の引出部との距離を第１の距離とし、当該電気素子の長さ方向における前記第２の引出部と前記第３および第４の引出部との距離を第２の距離としたとき、前記第１および第２の距離の和を当該電気素子の長さで除算した距離／長さ比は、前記基準値よりも小さい、電気素子。
【請求項２】
前記第１の距離は、前記第２の距離に略等しい、請求項１に記載の電気素子。
【請求項３】
当該電気素子の幅方向における前記第１および第２の引出部の各々の長さは、当該電気素子の幅に略等しく、
前記第１の陽極電極は、当該電気素子の長さ方向の一方の端面および当該電気素子の幅方向の両方の端面において前記第１の引出部に接続されており、
前記第２の陽極電極は、当該電気素子の長さ方向の他方の端面および当該電気素子の幅方向の両方の端面において前記第２の引出部に接続されており、
前記陰極電極は、当該電気素子の幅方向の両方の端面において前記第３および第４の引出部に接続されている、請求項１または請求項２に記載の電気素子。
【請求項４】
前記第３の引出部は、
前記第１の引出部側に配置された第５の引出部と、
前記第２の引出部側に配置された第６の引出部とを含み、
前記第４の引出部は、
前記第１の引出部側に配置された第７の引出部と、
前記第２の引出部側に配置された第８の引出部とを含み、
前記陰極電極は、
前記第１の陽極電極側に配置され、前記第５および第７の引出部に接続された第１の陰極電極と、
前記第２の陽極電極側に配置され、前記第６および第８の引出部に接続された第２の陰極電極とを含み、
前記第１の距離は、前記第１の引出部と前記第５および第７の引出部との距離からなり、
前記第２の距離は、前記第２の引出部と前記第６および第８の引出部との距離からなる、請求項１から請求項３のいずれか１項に記載の電気素子。
【請求項５】
前記基準値は、０．１８である、請求項１から請求項４のいずれか１項に記載の電気素子。
【請求項６】
当該電気素子の長さ方向の両端にそれぞれ設けられた第１および第２の引出部を含む第１の導体板と、
当該電気素子の幅方向の両端にそれぞれ設けられた第３および第４の引出部を含む第２の導体板と、
前記第１の導体板と前記第２の導体板との間に配置された誘電体層と、
当該電気素子の長さ方向の一方の端面および当該電気素子の幅方向の両方の端面において前記第１の導体板の前記第１の引出部に接続された第１の陽極電極と、
当該電気素子の長さ方向の他方の端面および当該電気素子の幅方向の両方の端面において前記第１の導体板の前記第２の引出部に接続された第２の陽極電極と、
当該電気素子の幅方向の両方の端面において前記第２の導体板の前記第３および第４の引出部に接続された陰極電極とを備える電気素子。
【請求項７】
前記第３の引出部は、
前記第１の引出部側に配置された第５の引出部と、
前記第２の引出部側に配置された第６の引出部とを含み、
前記第４の引出部は、
前記第１の引出部側に配置された第７の引出部と、
前記第２の引出部側に配置された第８の引出部とを含み、
前記陰極電極は、
前記第１の陽極電極側に配置され、前記第５および第７の引出部に接続された第１の陰極電極と、
前記第２の陽極電極側に配置され、前記第６および第８の引出部に接続された第２の陰極電極とを含む、請求項６に記載の電気素子。
【請求項８】
前記第３および第４の引出部は、当該電気素子の長さ方向において前記第１の引出部と前記第２の引出部との間に配置されている、請求項１から請求項７のいずれか１項に記載の電気素子。
【請求項９】
前記第１の導体板、前記誘電体層および前記第２の導体板は、当該電気素子が実装される基板に垂直な方向に積層されている、請求項１から請求項８のいずれか１項に記載の電気素子。
【請求項１０】
基準電気素子のインダクタンスよりも小さいインダクタンスを有する電気素子の製造方法であって、
前記基準電気素子は、２つの陽極電極に接続され、かつ、幅が前記基準電気素子の幅よりも狭い陽極導体板を含み、
前記基準電気素子において、前記陽極導体板の長さから前記基準電気素子の長さ方向における陰極電極の長さを減算した減算結果を前記基準電気素子の長さで除算した値は、基準値以上であり、
前記電気素子は、
第１の導体板と、第２の導体板と、前記第１の導体板と前記第２の導体板との間に配置された誘電体層とを含む直方体と、
前記直方体の第１の側面に配置され、前記第１の導体板の一方端に接続された第１の陽極電極と、
前記直方体の前記第１の側面に対向する第２の側面に配置され、前記第１の導体板の他方端に接続された第２の陽極電極と、
前記直方体の前記第１および第２の側面に略直交する第３および第４の側面に配置され、前記第２の導体板に接続された陰極電極とを備え、
前記製造方法は、
前記基準値を検出する第１の工程と、
前記第１の陽極電極と前記陰極電極との距離を第１の距離とし、前記第２の陽極電極と前記陰極電極との距離を第２の距離としたとき、前記第１および第２の距離の和を前記電気素子の長さで除算した距離／長さ比を前記基準値よりも小さい比に設定して前記陰極電極を前記第３および第４の側面に形成する第２の工程とを備える製造方法。
【請求項１１】
前記第１の導体板は、前記電気素子の長さ方向における両端にそれぞれ配置され、前記電気素子の幅に略等しい幅を有する第１および第２の引出部を含み、
前記第２の導体板は、前記電気素子の幅方向における両端にそれぞれ配置された第３および第４の引出部を含み、
前記製造方法は、
前記直方体を形成する第３の工程と、
前記第１の陽極電極が前記第１の引出部に接続されるように前記第１の陽極電極を前記第１の側面、前記第３の側面および前記第４の側面に形成する第４の工程と、
前記第２の陽極電極が前記第２の引出部に接続されるように前記第２の陽極電極を前記第２の側面、前記第３の側面および前記第４の側面に形成する第５の工程とをさらに備え、
前記第２の工程は、前記第３から第５の工程の後に実行され、
前記第２の工程において、前記陰極電極は、前記第３および第４の引出部に接続されるとともに前記距離／長さ比が前記基準値よりも小さい比になるように前記第３および第４の側面に形成される、請求項１０に記載の製造方法。
【請求項１２】
前記第３の引出部は、
前記第１の引出部側に配置された第５の引出部と、
前記第２の引出部側に配置された第６の引出部とを含み、
前記第４の引出部は、
前記第１の引出部側に配置された第７の引出部と、
前記第２の引出部側に配置された第８の引出部とを含み、
前記陰極電極は、
前記第１の陽極電極側において前記第３および第４の側面に配置され、前記第５および第７の引出部に接続された第１の陰極電極と、
前記第２の陽極電極側において前記第３および第４の側面に配置され、前記第６および第８の引出部に接続された第２の陰極電極とを含み、
前記第１の距離は、前記第１の陽極電極と前記第１の陰極電極との距離からなり、
前記第２の距離は、前記第２の陽極電極と前記第２の陰極電極との距離からなり、
前記製造方法の第２の工程において、前記第１および第２の陰極電極は、前記距離／長さ比が前記基準値よりも小さい比になるように前記第３および第４の側面に形成される、請求項１０または請求項１１に記載の製造方法。
【請求項１３】
前記基準電気素子は、前記電気素子と同じ構造からなり、
前記第２の工程において、前記陰極電極は、前記基準電気素子における前記距離／長さ比が前記基準値よりも小さい比になるように前記第３および第４の側面に形成される、請求項１０に記載の製造方法。
【請求項１４】
前記第２の工程は、
前記基準電気素子における前記距離／長さ比が前記基準値よりも小さい比になるように、前記基準電気素子に既に形成された陰極電極に接続して電極材料を前記第３および第４の側面に塗布する工程と、
前記塗布された電極材料を焼成する工程とを含む、請求項１３に記載の製造方法。
【請求項１５】
前記第２の工程は、
前記基準電気素子に既に形成された陰極電極を除去する工程と、
前記基準電気素子における前記距離／長さ比が前記基準値よりも小さい比になるように新たな陰極電極を前記第３および第４の側面に形成する工程とを含む、請求項１３に記載の電気素子。
【請求項１６】
前記基準電気素子をプリント基板から取り外す第３の工程をさらに備え、
前記第２の工程は、前記第３の工程の後に実行される、請求項１５に記載の製造方法。
【発明の詳細な説明】
【技術分野】
【０００１】
この発明は、電気素子およびその製造方法に関し、特に、ノイズフィルタとして機能する電気素子およびその製造方法に関するものである。
【背景技術】
【０００２】
最近、ＬＳＩ（Ｌａｒｇｅ  Ｓｃａｌｅ  Ｉｎｔｅｇｒａｔｅｄ  ｃｉｒｃｕｉｔ）等のデジタル回路技術は、コンピュータおよび通信関連機器だけでなく、家庭電化製品および車載用機器にも使用されている。
【０００３】
そして、ＬＳＩ等で発生した高周波電流は、ＬＳＩ近傍にとどまらず、プリント回路基板等の実装回路基板内の広い範囲に広がり、信号配線およびグランド配線に誘導結合し、信号ケーブル等から電磁波として漏洩する。
【０００４】
従来のアナログ回路の一部をデジタル回路に置き換えた回路、およびアナログ入出力を持つデジタル回路等のアナログ回路とデジタル回路とが混載される回路では、デジタル回路からアナログ回路への電磁干渉問題が深刻になってきている。
【０００５】
この対策には、高周波電流の発生源であるＬＳＩを供給電源系から高周波的に分離すること、すなわち、電源デカップリングの手法が有効である。そして、この電源デカップリングの手法を用いたノイズフィルタとして伝送線路型ノイズフィルタが知られている（特許文献１）。
【０００６】
この伝送線路型ノイズフィルタは、第１および第２の導電体と、誘電体層と、第１および第２の陽極とを備える。そして、第１および第２の導電体の各々は、板状形状からなり、誘電体層は、第１および第２の導電体間に配置される。
【０００７】
第１の陽極は、第１の導電体の長さ方向における一方端に接続され、第２の陽極は、第１の導体板の長さ方向における他方端に接続される。第２の導電体は、基準電位に接続するための陰極として機能する。また、第１の導電体、誘電体層および第２の導電体は、コンデンサを構成する。さらに、第１の導電体の厚さは、第１の導電体に流れる電流の直流成分によって生じる温度上昇を実質的に抑制するように設定される。
【０００８】
そして、伝送線路型ノイズフィルタは、直流電源とＬＳＩとの間に接続され、直流電源からの直流電流を第１の陽極、第１の導電体および第２の陽極からなる経路によってＬＳＩへ流すとともに、ＬＳＩで発生した交流電流を減衰する。
【０００９】
このように、伝送線路型ノイズフィルタは、コンデンサの構成を有し、コンデンサの２つの電極を構成する第１および第２の導電体を伝送線路として用いたノイズフィルタである。
【特許文献１】特開２００４−８０７７３号公報
【発明の開示】
【発明が解決しようとする課題】
【００１０】
しかし、従来の伝送線路型ノイズフィルタは、インダクタンスの低減が不十分であるという問題がある。
【００１１】
そこで、この発明は、かかる問題を解決するためになされたものであり、その目的は、従来の伝送線路型ノイズフィルタよりもインダクタンスを低減可能な電気素子を提供することである。
【００１２】
また、この発明の別の目的は、従来の伝送線路型ノイズフィルタよりもインダクタンスを低減可能な電気素子の製造方法を提供することである。
【課題を解決するための手段】
【００１３】
この発明によれば、電気素子は、基準電気素子のインダクタンスよりも小さいインダクタンスを有する電気素子である。基準電気素子は、２つの陽極電極に接続され、かつ、幅が基準電気素子の幅よりも狭い陽極導体板を含む。そして、基準電気素子において、陽極導体板の長さから基準電気素子の長さ方向における陰極電極の長さを減算した減算結果を基準電気素子の長さで除算した値は、基準値以上である。電気素子は、第１および第２の導体板と、誘電体層と、第１および第２の陽極電極と、陰極電極とを備える。第１の導体板は、当該電気素子の長さ方向の両端にそれぞれ設けられた第１および第２の引出部を含む。第２の導体板は、当該電気素子の幅方向の両端にそれぞれ設けられた第３および第４の引出部を含む。誘電体層は、第１の導体板と第２の導体板との間に配置される。第１の陽極電極は、第１の導体板の第１の引出部に接続される。第２の陽極電極は、第１の導体板の第２の引出部に接続される。陰極電極は、第２の導体板の第３および第４の引出部に接続される。そして、当該電気素子の長さ方向における第１の引出部と第３および第４の引出部との距離を第１の距離とし、当該電気素子の長さ方向における第２の引出部と第３および第４の引出部との距離を第２の距離としたとき、第１および第２の距離の和を当該電気素子の長さで除算した距離／長さ比は、基準値よりも小さい。
【００１４】
好ましくは、第１の距離は、第２の距離に略等しい。
【００１５】
好ましくは、当該電気素子の幅方向における第１および第２の引出部の各々の長さは、当該電気素子の幅に略等しい。第１の陽極電極は、当該電気素子の長さ方向の一方の端面および当該電気素子の幅方向の両方の端面において第１の引出部に接続されており、第２の陽極電極は、当該電気素子の長さ方向の他方の端面および当該電気素子の幅方向の両方の端面において第２の引出部に接続されている。陰極電極は、当該電気素子の幅方向の両方の端面において第３および第４の引出部に接続されている。
【００１６】
好ましくは、第３の引出部は、第１の引出部側に配置された第５の引出部と、第２の引出部側に配置された第６の引出部とを含む。第４の引出部は、第１の引出部側に配置された第７の引出部と、第２の引出部側に配置された第８の引出部とを含む。陰極電極は、第１の陽極電極側に配置され、第５および第７の引出部に接続された第１の陰極電極と、第２の陽極電極側に配置され、第６および第８の引出部に接続された第２の陰極電極とを含む。そして、第１の距離は、第１の引出部と第５および第７の引出部との距離からなり、第２の距離は、第２の引出部と第６および第８の引出部との距離からなる。
【００１７】
好ましくは、基準値は、０．１８である。
【００１８】
また、この発明によれば、電気素子は、第１および第２の導体射たと、誘電体層と、第１および第２の陽極電極と、陰極電極とを備える。第１の導体板は、当該電気素子の長さ方向の両端にそれぞれ設けられた第１および第２の引出部を含む。第２の導体板は、当該電気素子の幅方向の両端にそれぞれ設けられた第３および第４の引出部を含む。誘電体層は、第１の導体板と第２の導体板との間に配置される。第１の陽極電極は、当該電気素子の長さ方向の一方の端面および当該電気素子の幅方向の両方の端面において第１の導体板の第１の引出部に接続される。第２の陽極電極は、当該電気素子の長さ方向の他方の端面および当該電気素子の幅方向の両方の端面において第１の導体板の第２の引出部に接続される。陰極電極は、当該電気素子の幅方向の両方の端面において第２の導体板の第３および第４の引出部に接続される。
【００１９】
好ましくは、第３の引出部は、第１の引出部側に配置された第５の引出部と、第２の引出部側に配置された第６の引出部とを含む。第４の引出部は、第１の引出部側に配置された第７の引出部と、第２の引出部側に配置された第８の引出部とを含む。陰極電極は、第１の陽極電極側に配置され、第５および第７の引出部に接続された第１の陰極電極と、第２の陽極電極側に配置され、第６および第８の引出部に接続された第２の陰極電極とを含む。
【００２０】
好ましくは、第３および第４の引出部は、当該電気素子の長さ方向において第１の引出部と第２の引出部との間に配置されている。
【００２１】
好ましくは、第１の導体板、誘電体層および第２の導体板は、当該電気素子が実装される基板に垂直な方向に積層されている。
【００２２】
さらに、この発明によれば、電気素子の製造方法は、基準電気素子のインダクタンスよりも小さいインダクタンスを有する電気素子の製造方法である。基準電気素子は、２つの陽極電極に接続され、かつ、幅が基準電気素子の幅よりも狭い陽極導体板を含む。そして、基準電気素子において、陽極導体板の長さから基準電気素子の長さ方向における陰極電極の長さを減算した減算結果を基準電気素子の長さで除算した値は、基準値以上である。電気素子は、直方体と、第１および第２の陽極電極と、陰極電極とを備える。直方体は、第１の導体板と、第２の導体板と、第１の導体板と第２の導体板との間に配置された誘電体層とを含む。第１の陽極電極は、直方体の第１の側面に配置され、第１の導体板の一方端に接続される。第２の陽極電極は、直方体の第１の側面に対向する第２の側面に配置され、第１の導体板の他方端に接続される。陰極電極は、直方体の第１および第２の側面に略直交する第３および第４の側面に配置され、第２の導体板に接続される。製造方法は、基準値を検出する第１の工程と、第１の陽極電極と陰極電極との距離を第１の距離とし、第２の陽極電極と陰極電極との距離を第２の距離としたとき、第１および第２の距離の和を電気素子の長さで除算した距離／長さ比を基準値よりも小さい比に設定して陰極電極を第３および第４の側面に形成する第２の工程とを備える。
【００２３】
好ましくは、第１の導体板は、電気素子の長さ方向における両端にそれぞれ配置され、電気素子の幅に略等しい幅を有する第１および第２の引出部を含む。第２の導体板は、電気素子の幅方向における両端にそれぞれ配置された第３および第４の引出部を含む。製造方法は、直方体を形成する第３の工程と、第１の陽極電極が第１の引出部に接続されるように第１の陽極電極を第１の側面、第３の側面および第４の側面に形成する第４の工程と、第２の陽極電極が第２の引出部に接続されるように第２の陽極電極を第２の側面、第３の側面および第４の側面に形成する第５の工程とをさらに備える。そして、第２の工程は、第３から第５の工程の後に実行され、第２の工程において、陰極電極は、第３および第４の引出部に接続されるとともに距離／長さ比が基準値よりも小さい比になるように第３および第４の側面に形成される。
【００２４】
好ましくは、第３の引出部は、第１の引出部側に配置された第５の引出部と、第２の引出部側に配置された第６の引出部とを含む。第４の引出部は、第１の引出部側に配置された第７の引出部と、第２の引出部側に配置された第８の引出部とを含む。陰極電極は、第１および第２の陰極電極を含む。第１の陰極電極は、第１の陽極電極側において第３および第４の側面に配置され、第５および第７の引出部に接続される。第２の陰極電極は、第２の陽極電極側において第３および第４の側面に配置され、第６および第８の引出部に接続される。第１の距離は、第１の陽極電極と第１の陰極電極との距離からなり、第２の距離は、第２の陽極電極と第２の陰極電極との距離からなる。そして、製造方法の第２の工程において、第１および第２の陰極電極は、距離／長さ比が基準値よりも小さい比になるように第３および第４の側面に形成される。
【００２５】
好ましくは、基準電気素子は、電気素子と同じ構造からなる。そして、第２の工程において、陰極電極は、基準電気素子における距離／長さ比が基準値よりも小さい比になるように第３および第４の側面に形成される。
【００２６】
好ましくは、第２の工程は、基準電気素子における距離／長さ比が基準値よりも小さい比になるように、基準電気素子に既に形成された陰極電極に接続して電極材料を第３および第４の側面に塗布する工程と、塗布された電極材料を焼成する工程とを含む。
【００２７】
好ましくは、第２の工程は、基準電気素子に既に形成された陰極電極を除去する工程と、基準電気素子における距離／長さ比が基準値よりも小さい比になるように新たな陰極電極を第３および第４の側面に形成する工程とを含む。
【００２８】
好ましくは、製造方法は、基準電気素子をプリント基板から取り外す第３の工程をさらに備える。そして、第２の工程は、第３の工程の後に実行される。
【発明の効果】
【００２９】
この発明による電気素子においては、陽極電極に接続される第１の導体板の一方端に配置された第１の引出部と、陰極電極に接続される第２の導体板の両端に配置された第３および第４の引出部との距離を第１の距離とし、陽極電極に接続される第１の導体板の他方端に配置された第２の引出部と、陰極電極に接続される第２の導体板の両端に配置された第３および第４の引出部との距離を第２の距離とした場合、第１および第２の距離の和を電気素子の全長で除算した距離／長さ比が従来の電気素子における距離／長さ比よりも小さい比に設定される。その結果、この発明による電気素子において、交流電流が第１および第２の導体板間を流れる距離は、従来の電気素子において、交流電流が２つの導体板間を流れる距離よりも短くなり、この発明による電気素子と接地電位との間のインダクタンスが従来の電気素子と接地電位との間のインダクタンスよりも小さくなる。
【００３０】
したがって、この発明によれば、インピーダンスを従来の伝送線路型ノイズフィルタよりも小さくできる。
【発明を実施するための最良の形態】
【００３１】
本発明の実施の形態について図面を参照しながら詳細に説明する。なお、図中同一または相当部分には同一符号を付してその説明は繰返さない。
【００３２】
［実施の形態１］
図１は、この発明の実施の形態１による電気素子の斜視図である。図１を参照して、この発明の実施の形態１による電気素子１００は、誘電体層１〜５と、陽極電極１０，２０と、陰極電極３０と、導体板４１，４２，５１，５２とを備える。
【００３３】
誘電体層１〜５は、順次、積層される。導体板４１，４２，５１，５２の各々は、平板形状からなる。そして、導体板５１は、誘電体層１，２間に配置され、導体板４１は、誘電体層２，３間に配置される。導体板５２は、誘電体層３，４間に配置され、導体板４２は、誘電体層４，５間に配置される。その結果、誘電体層１〜４は、それぞれ、導体板５１，４１，５２，４２を支持する。
【００３４】
陽極電極１０は、電気素子１００の長さ方向ＤＲ１（陽極電極１０から陽極電極２０へ向かう方向、または陽極電極２０から陽極電極１０へ向かう方向。以下、同じ。）において電気素子１００の一方端に配置され、陽極電極２０は、電気素子１００の長さ方向ＤＲ１において電気素子１００の他方端に配置される。陰極電極３０は、電気素子１００の長さ方向ＤＲ１において陽極電極１０と陽極電極２０との間に配置される。そして、陽極電極１０，２０および陰極電極３０の各々は、３０μｍ〜５０μｍの範囲の膜厚を有する。
【００３５】
より具体的には、陽極電極１０は、電極１１〜１５からなる。電極１１は、電気素子１００の側面１１０Ｂに配置され、電気素子１００の長さ方向ＤＲ１において導体板４１，４２の一方端に接続される。
【００３６】
電極１２は、電気素子１００の正面１００Ｄに配置され、電気素子１００の長さ方向ＤＲ１において導体板４１，４２の一方端に接続される。電極１３は、電気素子１００の長さ方向ＤＲ１の一方端側において電気素子１００の上面１００Ａに配置される。
【００３７】
電極１４は、電気素子１００の裏面１００Ｅに配置され、電気素子１００の長さ方向ＤＲ１において導体板４１，４２の一方端に接続される。電極１５は、電気素子１００の長さ方向ＤＲ１の一方端側において電気素子１００の底面１００Ｆに配置される。
【００３８】
このように、陽極電極１０は、電気素子１００の側面１００Ｂの全面と、電気素子１００の正面１００Ｄ、上面１００Ａ、裏面１００Ｅおよび底面１００Ｆの一部とに配置され、電気素子１００の長さ方向ＤＲ１において導体板４１，４２の一方端に接続される。
【００３９】
陽極電極２０は、電極２１〜２５からなる。電極２１は、電気素子１００の側面１００Ｃに配置され、電気素子１００の長さ方向ＤＲ１において導体板４１，４２の他方端に接続される。
【００４０】
電極２２は、電気素子１００の正面１００Ｄに配置され、電気素子１００の長さ方向ＤＲ１において導体板４１，４２の他方端に接続される。電極２３は、電気素子１００の長さ方向ＤＲ１の他方端側において電気素子１００の上面１００Ａに配置される。
【００４１】
電極２４は、電気素子１００の裏面１００Ｅに配置され、電気素子１００の長さ方向ＤＲ１において導体板４１，４２の他方端に接続される。電極２５は、電気素子１００の長さ方向ＤＲ１の他方端側において電気素子１００の底面１００Ｆに配置される。
【００４２】
このように、陽極電極２０は、電気素子１００の側面１００Ｃの全面と、電気素子１００の正面１００Ｄ、上面１００Ａ、裏面１００Ｅおよび底面１００Ｆの一部とに配置され、電気素子１００の長さ方向ＤＲ１において導体板４１，４２の他方端に接続される。その結果、陽極電極２０は、電気素子１００の長さ方向ＤＲ１において陽極電極１０に対向して配置される。
【００４３】
陰極電極３０は、電極３１，３２からなる。電極３１は、電気素子１００の正面１００Ｄ、上面１００Ａおよび底面１００Ｆに配置され、電気素子１００の幅方向ＤＲ２（＝電気素子１００の長さ方向ＤＲ１に直交する方向。以下、同じ。）において導体板５１，５２の一方端に接続される。電極３２は、電気素子１００の裏面１００Ｅ、上面１００Ａおよび底面１００Ｆに配置され、電気素子１００の幅方向ＤＲ２において導体板５１，５２の他方端に接続される。その結果、電極３２は、電気素子１００の幅方向ＤＲ２において電極３１に対向して配置される。
【００４４】
このように、陰極電極３０は、電気素子１００の幅方向ＤＲ２から電気素子１００を挟むように配置される。
【００４５】
誘電体層１〜５の各々は、たとえば、チタン酸バリウム（ＢａＴｉＯ３）からなり、陽極電極１０，２０、陰極電極３０および導体板４１，４２，５１，５２の各々は、たとえば、ニッケル（Ｎｉ）からなる。
【００４６】
なお、電気素子１００は、長さ方向ＤＲ１および幅方向ＤＲ２に直交する方向ＤＲ３において高さＨ１を有する。そして、高さＨ１は、たとえば、２．０ｍｍに設定される。
【００４７】
図２は、図１に示す誘電体層１，２および導体板４１，５１の寸法を説明するための図である。また、図３は、図２に示す導体板４１，５１の平面図である。図２および図３を参照して、誘電体層１，２の各々は、電気素子１００の長さ方向ＤＲ１において長さＬ１を有し、幅方向ＤＲ２において幅Ｗ１を有し、厚みＤ１を有する。長さＬ１は、たとえば、７．０ｍｍまたは９．０ｍｍに設定され、幅Ｗ１は、たとえば、２．６ｍｍまたは３．３ｍｍに設定され、厚みＤ１は、たとえば、２５μｍに設定される。
【００４８】
導体板４１は、厚みｄおよび長さＬ１を有する。厚みｄは、たとえば、１０μｍ〜２０μｍの範囲に設定される。導体板４１は、本体部４１１と、引出部４１２，４１３とからなる。引出部４１２は、長さ方向ＤＲ１において本体部４１１の一方端側に配置される。引出部４１３は、長さ方向ＤＲ１において本体部４１１の他方端側に配置される。そして、引出部４１２は、陽極電極１０の電極１１，１２，１４に接続され、引出部４１３は、陽極電極２０の電極２１，２２，２４に接続される。
【００４９】
本体部４１１は、幅Ｗ１よりも狭い幅Ｗ２を有し、引出部４１２，４１３は、幅Ｗ１を有する。幅Ｗ２は、たとえば、１．６ｍｍまたは２．３ｍｍに設定される。
【００５０】
引出部４１２は、長さ方向ＤＲ１において陽極電極１０の電極１２，１４の幅に略等しい長さを有する。引出部４１３は、長さ方向ＤＲ１において陽極電極２０の電極２２，２４の幅に略等しい長さを有する。
【００５１】
そして、引出部４１２，４１３の各々は、長さＬ１が９．０ｍｍであるとき長さ方向ＤＲ１において０．５ｍｍの長さＬ３を有し、長さＬ１が７．０ｍｍであるとき長さ方向ＤＲ１において１．０ｍｍの長さＬ３を有する。その結果、本体部４１１は、長さＬ１が９．０ｍｍであるとき長さ方向ＤＲ１において８．０ｍｍの長さＬ４を有し、長さＬ１が７．０ｍｍであるとき長さ方向ＤＲ１において５．０ｍｍの長さＬ４を有する。
【００５２】
導体板５１は、厚みｄおよび長さＬ２を有する。そして、長さＬ２は、長さＬ１よりも短く、たとえば、８．０ｍｍまたは６．０ｍｍに設定される。導体板５１は、本体部５１１と、引出部５１２，５１３とからなる。引出部５１２は、幅方向ＤＲ２において本体部５１１の一方端側に配置される。引出部５１３は、幅方向ＤＲ２において本体部５１１の他方端側に配置される。そして、引出部５１２は、陰極電極３０の電極３２に接続され、引出部５１３は、陰極電極３０の電極３１に接続される。
【００５３】
本体部５１１は、幅Ｗ３を有する。幅Ｗ３は、たとえば、１．６ｍｍまたは２．３ｍｍに設定される。
【００５４】
引出部５１２，５１３の各々は、導体板５１の一方端との距離および導体板５１の他方端との距離が距離Ｌ５になるように配置され、長さ方向ＤＲ１において陰極電極３０の長さに略等しい長さを有する。そして、引出部５１２，５１３の各々の長さは、長さＬ１が９．０ｍｍであるとき２．５ｍｍの長さＬ６に設定され、長さＬ１が７．０ｍｍであるとき１．５ｍｍの長さＬ６に設定される。
【００５５】
導体板４１の引出部４１２と導体板５１の引出部５１２，５１３との長さ方向ＤＲ１における距離は、導体板４１の引出部４１３と導体板５１の引出部５１２，５１３との長さ方向ＤＲ１における距離に略等しく、Ｌ７に設定される。そして、距離Ｌ７は、長さＬ１が７．０ｍｍまたは９．０ｍｍであるとき０．５ｍｍに設定される。
【００５６】
誘電体層３〜５の各々は、図２に示す誘電体層１，２と同じ形状、同じ長さＬ１、同じ幅Ｗ１および同じ厚みＤ１を有する。また、導体板４２は、図２および図３に示す導体板４１と同じ形状、同じ長さＬ１、同じ幅Ｗ１，Ｗ２および同じ膜みｄを有し、導体板５２は、図２および図３に示す導体板５１と同じ形状、同じ長さＬ２、同じ幅Ｗ１，Ｗ３および同じ膜みｄを有する。
【００５７】
このように、導体板４１，４２は、導体板５１，５２と異なる長さおよび異なる幅を有する。これは、導体板４１，４２に接続される陽極電極１０，２０が導体板５１，５２に接続される陰極電極３０と短絡するのを防止するためである。
【００５８】
図４は、隣接する２つの導体板の平面図である。図４を参照して、導体板４１および導体板５１を１つの平面へ投影すると、導体板４１および５１は、重複部分６０を有する。そして、導体板４１と導体板５１との重複部分６０は、長さＬ２および幅Ｗ３を有する。導体板４１と導体板５２との重複部分および導体板４２と導体板５２との重複部分も、重複部分６０と同じ長さＬ２および同じ幅Ｗ３を有する。そして、この発明においては、Ｌ２≧Ｗ３になるように、長さＬ２および幅Ｗ３が設定される。
【００５９】
図５は、図１に示す線Ｖ−Ｖ間における電気素子１００の断面図である。図５を参照して、導体板５１は、誘電体層１，２の両方に接し、導体板４１は、誘電体層２，３の両方に接する。また、導体板５２は、誘電体層３，４の両方に接し、導体板４２は、誘電体層４，５の両方に接する。
【００６０】
陰極電極３０を構成する電極３１，３２は、導体板４１，４２には接続されず、導体板５１，５２に接続される。
【００６１】
図６は、図１に示す線ＶＩ−ＶＩ間における電気素子１００の断面図である。図６を参照して、陽極電極１０，２０は、誘電体層１〜５の側面、誘電体層１の裏面１Ａおよび誘電体層５の上面５Ａに配置される。その結果、陽極電極１０，２０は、導体板５１，５２に接続されず、導体板４１，４２に接続される。
【００６２】
したがって、導体板５１／誘電体層２／導体板４１、導体板４１／誘電体層３／導体板５２、および導体板５２／誘電体層４／導体板４２は、陽極電極１０，２０と陰極電極３０との間に並列に接続された３個のコンデンサを構成する。
【００６３】
この場合、各コンデンサの電極面積は、隣接する２つの導体板の重複部分６０（図４参照）の面積に等しい。
【００６４】
図７は、陽極電極１０，２０と導体板４１との接続状態および陰極電極３０と導体板５１との接続状態を示す平面図である。図７を参照して、陽極電極１０は、導体板４１の引出部４１２に接続され、陽極電極２０は、導体板４１の引出部４１３に接続される。
【００６５】
より具体的には、引出部４１２は、端面４１２Ａ，４１２Ｂ，４１２Ｃを有する。端面４１２Ａは、電気素子１００の側面１００Ｂと同一面内に存在し、端面４１２Ｂは、電気素子１００の正面１００Ｄと同一面内に存在し、端面４１２Ｃは、電気素子１００の裏面１００Ｅと同一面内に存在する。そして、陽極電極１０は、端面４１２Ａ，４１２Ｂ，４１２Ｃによって引出部４１２に接続される。このように、陽極電極１０は、導体板４１の引出部４１２の端面４１２Ａ，４１２Ｂ，４１２Ｃに沿って形成される。したがって、導体板４１の面内方向において、陽極電極１０の長さは、端面４１２Ａ，４１２Ｂ，４１２Ｃの長さの和に等しい。
【００６６】
また、引出部４１３Ａは、端面４１３Ａ，４１３Ｂ，４１３Ｃを有する。端面４１３Ａは、電気素子１００の側面１００Ｃと同一面内に存在し、端面４１３Ｂは、電気素子１００の正面１００Ｄと同一面内に存在し、端面４１３Ｃは、電気素子１００の裏面１００Ｅと同一面内に存在する。そして、陽極電極２０は、端面４１３Ａ，４１３Ｂ，４１３Ｃによって引出部４１３に接続される。このように、陽極電極２０は、導体板４１の引出部４１３の端面４１３Ａ，４１３Ｂ，４１３Ｃに沿って形成される。したがって、導体板４１の面内方向において、陽極電極２０の長さは、端面４１３Ａ，４１３Ｂ，４１３Ｃの長さの和に等しい。
【００６７】
さらに、陰極電極３０の電極３１は、導体板５１の引出部５１３に接続され、陰極電極３０の電極３２は、導体板５１の引出部５１２に接続される。そして、陰極電極３０の電極３１，３２は、それぞれ、引出部５１３，５１２のうち電気素子１００の正面１００Ｄおよび裏面１００Ｅと同一面内に存在する端面に沿って形成される。したがって、長さ方向ＤＲ１において、電極３１，３２の長さは、引出部５１２，５１３の長さに等しい。
【００６８】
その結果、陽極電極１０，２０と陰極電極３０（電極３１，３２）との距離は、導体板４１の引出部４１２，４１３と導体板５１の引出部５１２，５１３との距離Ｌ７に等しい。
【００６９】
なお、陽極電極１０，２０と導体板４２との接続状態および陰極電極３０と導体板５２との接続状態は、それぞれ、図７に示す陽極電極１０，２０と導体板４１との接続状態および陰極電極３０と導体板５１との接続状態と同じである。
【００７０】
図８および図９は、それぞれ、図１に示す電気素子１００の製造方法を説明するための第１および第２の工程図である。図８を参照して、長さＬ１、幅Ｗ１および厚みＤ１を有する誘電体層１（ＢａＴｉＯ３）となるグリーンシートの表面１Ｂの長さＬ２および幅Ｗ１，Ｗ３を有する領域にＮｉペーストをスクリーン印刷により塗布し、誘電体層１の表面１ＢにＮｉからなる導体板５１を形成する。
【００７１】
同じようにして、ＢａＴｉＯ３からなる誘電体層３，５を作製し、その作製した誘電体層３上にＮｉからなる導体板５２を形成する（図８の（ａ）参照）。
【００７２】
引き続いて、長さＬ１、幅Ｗ１および厚みＤ１を有する誘電体層２（ＢａＴｉＯ３）となるグリーンシートの表面２Ａの長さＬ１および幅Ｗ１，Ｗ２を有する領域にＮｉペーストをスクリーン印刷により塗布し、誘電体層２の表面２ＡにＮｉからなる導体板４１を形成する。
【００７３】
同じようにして、ＢａＴｉＯ３からなる誘電体層４を作製し、その作製した誘電体層４上にＮｉからなる導体板４２を形成する（図８の（ｂ）参照）。
【００７４】
その後、導体板５１，４１，５２，４２がそれぞれ形成された誘電体層１〜４と、導体板が形成されていない誘電体５のグリーンシートを順次積層する（図８の（ｃ）参照）。これによって、陽極電極１０，２０に接続される導体板４１，４２および陰極電極３０に接続される導体板５１，５２は、交互に積層される。
【００７５】
さらに、Ｎｉペーストをスクリーン印刷によって塗布し、陽極電極１０，２０および陰極電極３０を形成する（図９の（ｄ），（ｅ）参照）。その後、図９の（ｅ）まで作製された素子を１３５０℃の焼成温度で焼成して電気素子１００を完成する。
【００７６】
なお、電気素子１００は、グリーンシートを使用せず、誘電体のペーストを印刷して乾燥させ、その上に導体を印刷し、さらに、誘電体のペーストを印刷して同様な工程を行い、積層して作製されてもよい。
【００７７】
図１０は、従来の電気素子の斜視図である。図１０を参照して、従来の電気素子５００は、誘電体層５０１〜５０５と、導体板５２１，５２２，５３１，５３２と、陽極電極５４０，５５０と、陰極電極５６０とを備える。なお、図１０は、電気素子５００の内部を見易くするために陽極電極５４０および陰極電極５６０（５６１）の一部を示す。
【００７８】
誘電体層５０１〜５０５は、電気素子１００の誘電体層１〜５と同じ材料からなり、誘電体層１〜５と同じ形状および同じ寸法を有する。
【００７９】
導体板５３１は、誘電体層５０１，５０２間に配置され、導体板５２１は、誘電体層５０２，５０３間に配置され、導体板５３２は、誘電体層５０３，５０４間に配置され、導体板５２２は、誘電体層５０４，５０５間に配置される。その結果、誘電体層５０１〜５０４は、それぞれ、導体板５３１，５２１，５３２，５２２を支持する。
【００８０】
そして、導体板５２１，５２２の各々は、電気素子１００の導体板４１，４２の形状と異なり、電気素子５００の長さ方向ＤＲ１の全領域において略一定の幅を有する。導体板５３１，５３２の各々は、電気素子１００の導体板５１，５２の形状と同じ形状からなり、電気素子５００の幅方向ＤＲ２の両端に引出部を有する。但し、導体板５３１，５３２の引出部は、導体板５１，５２の引出部よりも短い長さを有する。
【００８１】
陽極電極５４０は、電気素子５００の長さ方向ＤＲ１において電気素子５００の一方端に配置され、陽極電極５５０は、電気素子５００の長さ方向ＤＲ１において電気素子５００の他方端に配置される。そして、陽極電極５４０は、導体板５２１，５２２の一方端に接続され、陽極電極５５０は、導体板５２１，５２２の他方端に接続される。
【００８２】
より具体的には、陽極電極５４０は、電極５４１〜５４５からなる。電極５４１は、電気素子５００の側面５００Ｂに配置され、導体板５２１，５２２の一方端に接続される。電極５４２は、電気素子５００の正面５００Ｄに配置され、電極５４３は、電気素子５００の上面５００Ａに配置される。電極５４４は、電気素子５００の裏面５００Ｅに配置され、電極５４５は、電気素子５００の底面５００Ｆに配置される。
【００８３】
また、陽極電極５５０は、電極５５１〜５５５からなる。電極５５１は、電気素子５００の側面５００Ｃに配置され、導体板５２１，５２２の他方端に接続される。電極５５２は、電気素子５００の正面５００Ｄに配置され、電極５５３は、電気素子５００の上面５００Ａに配置される。電極５５４は、電気素子５００の裏面５００Ｅに配置され、電極５５５は、電気素子５００の底面５００Ｆに配置される。
【００８４】
このように、電気素子５００においては、陽極電極５４０，５５０は、それぞれ、側面５００Ｂ，５００Ｃでのみ導体板５２１，５２２に接続される。
【００８５】
陰極電極５６０は、長さ方向ＤＲ１において陽極電極５４０と陽極電極５５０との間に配置され、幅方向ＤＲ２において導体板５３１，５３２の両端に接続される。
【００８６】
より具体的には、陰極電極５６０は、電極５６１，５６２からなる。そして、電極５６１は、電気素子５００の上面５００Ａ、正面５００Ｄおよび底面５００Ｆに配置され、電気素子５００の幅方向ＤＲ２において導体板５３１，５３２の一方端（引出部）に接続される。電極５６２は、電気素子５００の上面５００Ａ、裏面５００Ｅおよび底面５００Ｆに配置され、電気素子５００の幅方向ＤＲ２において導体板５３１，５３２の他方端（引出部）に接続される。
【００８７】
そして、電気素子５００においては、陽極電極５４０と陰極電極５６０との距離および陽極電極５５０と陰極電極５６０との距離は、等しく、Ｌ８に設定される。
【００８８】
表１は、従来の電気素子５００の長さＬ、陽極電極５４０，５５０の長さＬ−Ａｎｏｄｅ、陰極電極５６０の長さＬ−Ｃａｔｈｏｄｅ、電気素子５００の幅Ｗ、クリアランス、幅Ｗに対する長さＬの比Ｌ／Ｗ、全長Ｌに対する陰極電極５６０の長さの割合および全長Ｌに対するクリアランスの割合を示す。
【００８９】
【表１】
2010177717.tif 000003
【００９０】
なお、クリアランスとは、図１０に示す距離Ｌ８、すなわち、陽極電極５４０，５５０と陰極電極５６０との距離Ｌ８である。また、全長Ｌに対するクリアランスの割合とは、全長Ｌから陽極電極５４０の長さＬ−Ａｎｏｄｅ、陽極電極５５０の長さＬ−Ａｎｏｄｅおよび陰極電極５６０の長さＬ−Ｃａｔｈｏｄｅを減算した減算結果（＝Ｌ８×２）を全長Ｌで除算したものである。
【００９１】
表１に示す結果から、従来の電気素子５００においては、全長Ｌに対するクリアランスの割合は、０．１８以上である。
【００９２】
表２は、この発明による電気素子１００の長さＬ、陽極電極１０，２０の長さＬ−Ａｎｏｄｅ、陰極電極３０の長さＬ−Ｃａｔｈｏｄｅ、電気素子１００の幅Ｗ、クリアランス、幅Ｗに対する長さＬの比Ｌ／Ｗ、全長Ｌに対する陰極電極３０の長さの割合および全長Ｌに対するクリアランスの割合を示す。
【００９３】
【表２】
2010177717.tif 000004
【００９４】
なお、表２において、全長に対するクリアランスの割合とは、全長Ｌ１から陽極電極１０の長さＬ３、陽極電極２０の長さＬ３および陰極電極３０の長さＬ６を減算した減算結果（＝Ｌ７×２）を全長Ｌ１で除算したものである。
【００９５】
表２に示す結果から、この発明による電気素子１００においては、全長に対するクリアランスの割合は、０．１８よりも小さい。
【００９６】
したがって、従来の電気素子５００における全長に対するクリアランスの割合である０．１８を基準値とした場合、この発明による電気素子１００における全長に対するクリアランスの割合は、基準値よりも小さい。
【００９７】
図１１は、電気素子のインピーダンスと周波数との関係を示す図である。図１１において、縦軸は、インピーダンスを表し、横軸は、周波数を表す。また、曲線ｋ１は、この発明による電気素子１００のインピーダンスと周波数との関係を示し、曲線ｋ２，ｋ３は、従来の電気素子５００のインピーダンスと周波数との関係を示す。
【００９８】
曲線ｋ１〜ｋ３によって示されるインピーダンスと周波数との関係を有する電気素子をそれぞれ電気素子Ａ，Ｂ，Ｃとすると、電気素子Ａにおける全長に対するクリアランスの割合は、０．１６であり、電気素子Ｂにおける全長に対するクリアランスの割合は、０．３５であり、電気素子Ｃにおける全長に対するクリアランスの割合は、０．４２である。また、電気素子Ａ，Ｂ，Ｃは、全て、同じ長さおよび幅を有する。さらに、電気素子Ａ，Ｂ，Ｃにおける陰極電極の長さは、それぞれ、２．６ｍｍ，１．８ｍｍ，１．５ｍｍであり、電気素子Ａ，Ｂ，Ｃにおける陽極電極の長さは、全て、０．５ｍｍである。
【００９９】
図１１において、２×１０６［Ｈｚ］以下の周波数領域におけるインピーダンスは、主に電気素子のキャパシタンスによって決定され、２×１０６［Ｈｚ］よりも高い周波数領域におけるインピーダンスは、主に電気素子のインダクタンスによって決定される。
【０１００】
図１１を参照して、この発明による電気素子１００における２×１０６［Ｈｚ］よりも高い周波数領域のインピーダンス（曲線ｋ１）は、従来の電気素子５００における２×１０６［Ｈｚ］よりも高い周波数領域のインピーダンス（曲線ｋ２，ｋ３）よりも低い。すなわち、この発明による電気素子１００のインダクタンスは、従来の電気素子５００のインダクタンスよりも小さい。
【０１０１】
上述したように、この発明による電気素子１００の全長に対するクリアランスの割合は、従来の電気素子５００の全長に対するクリアランスの割合よりも小さいので、全長に対するクリアランスの割合を基準値（＝０．１８）よりも小さくすることによって、２×１０６［Ｈｚ］よりも高い周波数領域のインピーダンス（インダクタンス）を従来の電気素子５００のインピーダンス（インダクタンス）よりも小さくできる。
【０１０２】
全長に対するクリアランスの割合を小さくすることによって電気素子１００のインダクタンスが電気素子５００のインダクタンスよりも小さくなる理由を説明する。
【０１０３】
図１２は、電気素子１００，５００の等価回路である。図１２を参照して、電気素子１００，５００の等価回路は、インダクタンスＬｄ１と、キャパシタンスＣと、インダクタンスＬｄ２とからなる。インダクタンスＬｄ１は、端子ＴＭ１，ＴＭ２間に接続される。キャパシタンスＣは、一方が、直接、接地電位ＧＮＤに接続され、他方がインダクタンスＬｄ２を介して接地電位ＧＮＤに接続される。そして、端子ＴＭ１，ＴＭ２は、それぞれ、陽極電極１０（５４０），２０（５５０）に相当する。
【０１０４】
図１３は、この発明による電気素子１００における１つのコンデンサの構成を示す斜視図である。また、図１４は、従来の電気素子５００における１つのコンデンサの構成を示す斜視図である。
【０１０５】
図１３を参照して、電気素子１００においては、導体板４１，５１および誘電体層２が１つのコンデンサを構成する。そして、導体板４１の引出部４１２は、３個の端面によって陽極電極１０の３個の電極１１，１２，１４に接続され、導体板４１の引出部４１３は、３個の端面によって陽極電極２０の３個の電極２１，２２，２４に接続される。また、引出部４１２は、電極１２，１４の幅に等しい長さを有し、引出部４１３は、電極２２，２４の幅に等しい長さを有する。
【０１０６】
一方、導体板５１の引出部５１２は、陰極電極３０を構成する電極３２に接続され、導体板５１の引出部５１３は、陰極電極３０を構成する電極３１に接続される。そして、引出部５１２，５１３の各々は、陰極電極３０の電極３１，３２の長さに等しい長さを有する。
【０１０７】
その結果、電気素子１００においては、陽極電極１０，２０と陰極電極３０との距離は、導体板４１の引出部４１２，４１３と導体板５１の引出部５１２，５１３との距離Ｌ７に等しくなる。
【０１０８】
図１４を参照して、電気素子５００においては、導体板５２１，５３１および誘電体層５０２が１つのコンデンサを構成する。そして、導体板５２１は、電気素子５００の長さ方向ＤＲ１における一方の端面によって陽極電極５４０（５４１）に接続され、電気素子５００の長さ方向ＤＲ１における他方の端面によって陽極電極５５０（５５１）に接続される。つまり、電気素子５００においては、導体板５２１は、陽極電極５４０の電極５４２，５４４および陽極電極５５０の電極５５２，５５４には接続されない。
【０１０９】
一方、導体板５３１の引出部５３１Ａは、陰極電極５６０を構成する電極５６１に接続され、導体板５３１の引出部５３１Ｂは、陰極電極５６０を構成する電極５６２に接続される。そして、引出部５３１Ａ，５３１Ｂの各々は、陰極電極５６０の電極５６１，５６２の長さに等しい長さを有する。
【０１１０】
その結果、電気素子５００においては、陽極電極５４０，５５０と陰極電極５６０との距離Ｌ８は、導体板５２１の引出部（導体板５２１の長さ方向ＤＲ１の端面）と導体板５３１の引出部５３１Ａ，５３１Ｂとの距離Ｌ９よりも短い。
【０１１１】
再び、図１２を参照して、インダクタンスＬｄ２は、電気素子１００においては距離Ｌ７に比例した値になり、電気素子５００においては距離Ｌ９に比例した値になる。
【０１１２】
上述したように、電気素子１００（電気素子Ａ）の全長は、電気素子５００（電気素子Ｂ，Ｃ）の全長と同じであり、電気素子１００（電気素子Ａ）の陰極電極３０の長さは、電気素子５００（電気素子Ｂ，Ｃ）の陰極電極５６０の長さよりも長いので、距離Ｌ７は、距離Ｌ９よりも短くなる。
【０１１３】
インダクタンスＬｄ１は、導体板４１，５２１の長さに比例する。導体板４１，５２１の長さは、等しいので、インダクタンスＬｄ１は、電気素子１００，５００間で等しい。一方、上述したように、距離Ｌ７は、距離Ｌ９よりも短いので、電気素子１００におけるインダクタンスＬｄ２は、電気素子５００におけるインダクタンスＬｄ２よりも小さい。その結果、電気素子１００の全体のインダクタンスは、電気素子５００の全体のインダクタンスよりも小さくなる。
【０１１４】
このように、全長に対するクリアランスの割合を基準値よりも小さくすることによって電気素子１００のインダクタンスを従来の電気素子５００のインダクタンスよりも小さくできる。
【０１１５】
図１５は、図１に示す電気素子１００の使用状態を示す概念図である。図１５を参照して、電気素子１００は、電源９０と、ＣＰＵ（Ｃｅｎｔｒａｌ  Ｐｒｏｃｅｓｓｉｎｇ  Ｕｎｉｔ）１３０との間に接続される。そして、電気素子１００の陰極電極３０（３１），３０（３２）は、接地電位に接続される。電源９０は、正極端子９１および負極端子９２を有する。ＣＰＵ１３０は、正極端子１３１および負極端子１３２を有する。
【０１１６】
リード線１２１Ｌは、一方端が電源９０の正極端子９１に接続され、他方端が電気素子１００の陽極電極１０に接続される。リード線１２２Ｌは、一方端が電源９０の負極端子９２に接続され、他方端が電気素子１００の陰極電極３０（３２）に接続される。
【０１１７】
リード線１２３Ｌは、一方端が電気素子１００の陽極電極２０に接続され、他方端がＣＰＵ１３０の正極端子１３１に接続される。リード線１２４Ｌは、一方端が電気素子１００の陰極電極３０（３１）に接続され、他方端がＣＰＵ１３０の負極端子１３２に接続される。
【０１１８】
そうすると、電源９０の正極端子９１から出力された直流電流Ｉは、リード線１２１Ｌを介して電気素子１００の陽極電極１０に流れ、導体板４１，４２および陽極電極２０の順に流れる。そして、直流電流Ｉは、陽極電極２０からリード線１２３Ｌおよび正極端子１３１を介してＣＰＵ１３０へ流れ込む。
【０１１９】
これによって、直流電流Ｉは、電源電流としてＣＰＵ１３０へ供給され、ＣＰＵ１３０は、直流電流Ｉによって駆動され、直流電流Ｉのリターン電流Ｉｒを負極端子１３２から出力する。
【０１２０】
そうすると、リターン電流Ｉｒは、リード線１２４Ｌを介して電気素子１００の陰極電極３０（３１）へ流れ、電気素子１００内を陰極電極３０（３１）、導体板５１，５２および陰極電極３０（３２）の順に流れる。そして、リターン電流Ｉｒは、陰極電極３０（３２）からリード線１２２Ｌおよび負極端子９２を介して電源９０に流れる。
【０１２１】
その結果、電気素子１００のインダクタンスは、上述したように従来の電気素子５００よりも小さくなるので、電源デカップリングによってＣＰＵ１３０で発生した不要な高周波電流を電気素子１００、リード線１２３Ｌ，１２４ＬおよびＣＰＵ１３０からなる回路に閉じ込めることができる。
【０１２２】
図１６は、実施の形態１における他の導体板の平面図である。電気素子１００は、導体板４１，５１に代えて、それぞれ、図１６に示す導体板６１，７１を備えていてもよい。図１６を参照して、導体板６１は、導体板４１と同じ長さ、同じ幅および同じ厚みｄを有し、導体板７１は、導体板５１と同じ長さ、同じ幅および同じ厚みｄを有する。そして、導体板６１，７１の各々は、ニッケルからなる。
【０１２３】
導体板６１は、本体部６１１と引出部６１２，６１３とからなる。本体部６１１は、長さ方向ＤＲ１において引出部６１２と引出部６１３との間に配置される。本体部６１１は、幅Ｗ２および長さＬ１０を有する。引出部６１２，６１３の各々は、長さＬ１１および幅Ｗ１を有する。そして、長さＬ１０は、たとえば、３．０ｍｍに設定される。その結果、長さＬ１１は、２．０ｍｍに設定される。
【０１２４】
導体板７１は、本体部７１１と引出部７１２，７１３とからなる。本体部７１１は、幅方向ＤＲ２において引出部７１２と引出部７１３との間に配置される。本体部７１１は、幅Ｗ３および長さＬ２を有する。引出部７１２，７１３の各々は、長さＬ１２および幅Ｗ１−Ｗ３を有する。そして、引出部７１２，７１３の各々は、導体板７１の一方端から距離Ｌ１３および導体板７１の他方端から距離Ｌ１３の位置に配置される。この場合、長さＬ１２は、たとえば、１．０ｍｍに設定される。その結果、長さＬ１３は、２．０ｍｍに設定される。
【０１２５】
そして、導体板６１の引出部６１２，６１３と導体板７１の引出部７１２，７１３との距離は、上述した距離Ｌ７に設定される。
【０１２６】
図１７は、図１６に示す一方の導体板６１と陽極電極１０，２０との接続状態および図１６に示す他方の導体板７１と陰極電極３０との接続状態を示す平面図である。図１７を参照して、陽極電極１０は、導体板６１の引出部６１２に接続され、陽極電極２０は、導体板６１の引出部６１３に接続される。
【０１２７】
より具体的には、引出部６１２は、端面６１２Ａ，６１２Ｂ，６１２Ｃを有する。端面６１２Ａは、電気素子１００の側面１００Ｂと同一面内に存在し、端面６１２Ｂは、電気素子１００の正面１００Ｄと同一面内に存在し、端面６１２Ｃは、電気素子１００の裏面１００Ｅと同一面内に存在する。そして、陽極電極１０は、端面６１２Ａ，６１２Ｂ，６１２Ｃによって引出部６１２に接続される。このように、陽極電極１０は、導体板６１の引出部６１２の端面６１２Ａ，６１２Ｂ，６１２Ｃに沿って形成される。したがって、導体板６１の面内方向において、陽極電極１０の長さは、端面６１２Ａ，６１２Ｂ，６１２Ｃの長さの和に等しい。
【０１２８】
また、引出部６１３Ａは、端面６１３Ａ，６１３Ｂ，６１３Ｃを有する。端面６１３Ａは、電気素子１００の側面１００Ｃと同一面内に存在し、端面６１３Ｂは、電気素子１００の正面１００Ｄと同一面内に存在し、端面６１３Ｃは、電気素子１００の裏面１００Ｅと同一面内に存在する。そして、陽極電極２０は、端面６１３Ａ，６１３Ｂ，６１３Ｃによって引出部６１３に接続される。このように、陽極電極２０は、導体板６１の引出部６１３の端面６１３Ａ，６１３Ｂ，６１３Ｃに沿って形成される。したがって、導体板６１の面内方向において、陽極電極２０の長さは、端面６１３Ａ，６１３Ｂ，６１３Ｃの長さの和に等しい。
【０１２９】
さらに、陰極電極３０の電極３１は、導体板７１の引出部７１３に接続され、陰極電極３０の電極３２は、導体板７１の引出部７１２に接続される。そして、陰極電極３０の電極３１，３２は、それぞれ、引出部７１３，７１２のうち電気素子１００の正面１００Ｄおよび裏面１００Ｅと同一面内に存在すする端面に沿って形成される。したがって、陰極電極３０の電極３１，３２の長さは、引出部７１２，７１３の長さに等しい。
【０１３０】
その結果、陽極電極１０，２０と陰極電極３０（電極３１，３２）との距離は、導体板６１の引出部６１２，６１３と導体板７１の引出部７１２，７１３との距離Ｌ７に等しい。
【０１３１】
このように、実施の形態１においては、陽極電極１０，２０に接続される導体板４１，６１の引出部４１２，４１３；６１２，６１３および陰極電極３０に接続される導体板５１，７１の引出部５１２，５１３；７１２，７１３の長さは、任意であり、引出部４１２，４１３；６１２，６１３と引出部５１２，５１３；７１２，７１３との距離が上述した距離Ｌ７に設定されていればよい。
【０１３２】
実施の形態１による電気素子１００は、全長に対するクリアランスの割合が基準値（＝０．１８）よりも小さい電気素子に限らず、導体板４１，４２と、導体板５１，５２と、電気素子の長さ方向の一方の端面（１００Ｂ）および電気素子の幅方向の両方の端面（１００Ｄ，１００Ｅ）において導体板４１，４２の引出部４１２に接続される陽極電極１０と、電気素子の長さ方向の他方の端面（１００Ｃ）および電気素子の幅方向の両方の端面（１００Ｄ，１００Ｅ）において導体板４１，４２の引出部４１３に接続される陽極電極２０と、電気素子の幅方向の両方の端面（１００Ｄ，１００Ｅ）において導体板５１，５２の引出部５１２，５１３に接続された陰極電極３０とを備える電気素子であればよい。つまり、実施の形態１による電気素子１００は、３個の端面で陽極電極１０，２０に接続される導体板４１，４２を備える電気素子であればよい。
【０１３３】
導体板４１，４２が引出部４１２，４１３によってそれぞれ陽極電極１０，２０に接続されることによって、交流電流が導体板４１，４２と導体板５１，５２との間で流れる距離Ｌ７は、従来の電気素子５００において交流電流が導体板５２１，５２２と導体板５３１，５３２との間で流れる距離Ｌ９よりも陽極電極１０，２０の電極１２，１４；２２，２４の幅分だけ短くなり、この発明による電気素子のインダクタンスは、従来の電気素子５００のインダクタンスよりも小さくなるからである。
【０１３４】
なお、上記においては、Ｌ２≧Ｗ３になるように重複部分６０の長さＬ２および幅Ｗ３を設定すると説明したが、この発明においては、これに限られず、Ｌ２＜Ｗ３になるように重複部分６０における長さＬ２および幅Ｗ３を設定してもよい。
【０１３５】
重複部分６０における長さＬ２および幅Ｗ３がＬ２＜Ｗ３の関係を有していても、全長に対するクリアランスの割合を基準値よりも小さい値に設定することによって電気素子１００のインダクタンスを従来の電気素子５００のインダクタンスよりも小さくできるからである。
【０１３６】
また、上記においては、誘電体層１〜５は、全て同じ誘電体材料（ＢａＴｉＯ３）によって構成されると説明したが、この発明においては、これに限らず、誘電体層１〜５は、相互に異なる誘電体材料によって構成されていてもよく、２種類の誘電体材料によって構成されていてもよく、一般的には、１種類以上の誘電体材料によって構成されていればよい。この場合、誘電体層１〜５を構成する各誘電体材料は、好ましくは、３０００以上の比誘電率を有する。
【０１３７】
そして、ＢａＴｉＯ３以外の誘電体材料としては、Ｂａ（Ｔｉ，Ｓｎ）Ｏ３，Ｂｉ４Ｔｉ３Ｏ１２，（Ｂａ，Ｓｒ，Ｃａ）ＴｉＯ３，（Ｂａ，Ｃａ）（Ｚｒ，Ｔｉ）Ｏ３，（Ｂａ，Ｓｒ，Ｃａ）（Ｚｒ，Ｔｉ）Ｏ３，ＳｒＴｉＯ３，ＣａＴｉＯ３，ＰｂＴｉＯ３，Ｐｂ（Ｚｎ，Ｎｂ）Ｏ３，Ｐｂ（Ｆｅ，Ｗ）Ｏ３，Ｐｂ（Ｆｅ，Ｎｂ）Ｏ３，Ｐｂ（Ｍｇ，Ｎｂ）Ｏ３，Ｐｂ（Ｎｉ，Ｗ）Ｏ３，Ｐｂ（Ｍｇ，Ｗ）Ｏ３，Ｐｂ（Ｚｒ，Ｔｉ）Ｏ３，Ｐｂ（Ｌｉ，Ｆｅ，Ｗ）Ｏ３，Ｐｂ５Ｇｅ３Ｏ１１およびＣａＺｒＯ３等を用いることができる。
【０１３８】
さらに、上記においては、陽極電極１０，２０、陰極電極３０および導体板４１，４２，５１，５２の各々は、ニッケル（Ｎｉ）からなると説明したが、この発明においては、これに限らず、陽極電極１０，２０、陰極電極３０および導体板４１，４２，５１，５２の各々は、銀（Ａｇ）、パラジウム（Ｐｄ）、銀パラジウム合金（Ａｇ−Ｐｄ）、白金（Ｐｔ）、金（Ａｕ）、銅（Ｃｕ）、ルビジウム（Ｒｕ）およびタングステン（Ｗ）のいずれかによって構成されていてもよい。
【０１３９】
さらに、上記においては、陽極電極１０，２０に接続される導体板の個数は、２個（導体板４１，４２）であり、陰極電極３０（３１），３０（３２）に接続される導体板の個数も、２個（導体板５１，５２）であると説明したが、この発明においては、これに限らず、電気素子１００は、陽極電極１０，２０に接続されるｎ（ｎは正の整数）個の導体板と、陰極電極３０（３１），３０（３２）に接続されるｍ（ｍは正の整数）個の導体板とを備えていればよい。この場合、電気素子１００は、ｊ（ｊ＝ｍ＋ｎ）個の誘電体層を備える。
【０１４０】
さらに、上記においては、導体板４１，４２は、導体板５１，５２に平行に配置されると説明したが、この発明においては、これに限らず、導体板４１，４２と導体板５１，５２との間隔が長さ方向ＤＲ１に対して変化するように導体板４１，４２，５１，５２を配置してもよい。
【０１４１】
さらに、上記においては、電気素子１００は、ＣＰＵ１３０に接続されると説明したが、この発明においては、これに限らず、電気素子１００は、所定の周波数で動作する電気負荷回路であれば、どのような電気負荷回路に接続されていてもよい。
【０１４２】
さらに、この発明においては、電気素子１００は、上述したように、並列に接続された３個のコンデンサを含むので、コンデンサとしても使用可能である。
【０１４３】
そして、より具体的には、電気素子１００は、ノートパソコン、ＣＤ−ＲＷ／ＤＶＤ装置、ゲーム機、情報家電、デジタルカメラ、自動車電装用、自動車用デジタル機器、ＭＰＵ周辺回路およびＤＣ／ＤＣコンバータ等に用いられる。
【０１４４】
したがって、ノートパソコンおよびＣＤ−ＲＷ／ＤＶＤ装置等にコンデンサとして用いられているが、全長に対するクリアランスの割合が基準値よりも小さい電気素子は、この発明による電気素子１００に含まれる。
【０１４５】
この発明においては、電気素子５００は、２つの陽極電極５４０，５５０に接続され、かつ、幅が電気素子５００の幅よりも狭い陽極導体板５２１，５２２を含む「基準電気素子」を構成する。
【０１４６】
また、導体板４１，４２は、「第１の導体板」を構成し、導体板５１，５２は、「第２の導体板」を構成する。
【０１４７】
さらに、陽極電極１０は、「第１の陽極電極」を構成し、陽極電極２０は、「第２の陽極電極」を構成する。
【０１４８】
さらに、引出部４１２は、「第１の引出部」を構成し、引出部４１３は、「第２の引出部」を構成し、引出部５１２は、「第３の引出部」を構成し、引出部５１３は、「第４の引出部」を構成する。
【０１４９】
さらに、引出部４１２と引出部５１２，５１３との距離Ｌ７は、「第１の距離」を構成し、引出部４１３と引出部５１２，５１３との距離Ｌ７は、「第２の距離」を構成し、全長に対するクリアランスの割合は、「距離／長さ比」を構成する。
【０１５０】
さらに、誘電体層１〜５および導体板４１，５２，５１，５２は、「直方体」を構成し、図８に示す工程（ａ）〜（ｃ）は、直方体を形成する工程を構成する。
【０１５１】
［実施の形態２］
図１８は、実施の形態２による電気素子の斜視図である。図１８を参照して、実施の形態２による電気素子２００は、図１に示す電気素子１００の導体板５１，５２をそれぞれ導体板２０１，２０２に代え、陰極電極３０を陰極電極２１０，２２０に代えたものであり、その他は、電気素子１００と同じである。
【０１５２】
なお、電気素子２００の上面２００Ａ、側面２００Ｂ，２００Ｃ、正面２００Ｄ、裏面２００Ｅおよび底面２００Ｆは、それぞれ、電気素子１００の上面１００Ａ、側面１００Ｂ，１００Ｃ、正面１００Ｄ、裏面１００Ｅおよび底面１００Ｆに相当する。
【０１５３】
導体板２０１は、誘電体層１，２間に配置され、導体板２０２は、誘電体層３，４間に配置される。その結果、電気素子２００においては、誘電体層１，３は、それぞれ、導体板２０１，２０２を支持する。
【０１５４】
陰極電極２１０は、電極２１１，２１２からなる。電極２１１は、電気素子２００の正面２００Ｄ、上面２００Ａおよび底面２００Ｆに配置され、電気素子２００の幅方向ＤＲ２において導体板２０１，２０２の一方端に接続される。電極２１２は、電気素子２００の裏面２００Ｅ、上面２００Ａおよび底面２００Ｆに配置され、電気素子２００の幅方向ＤＲ２において導体板２０１，２０２の他方端に接続される。その結果、電極２１２は、電気素子２００の幅方向ＤＲ２において電極２１１に対向して配置される。
【０１５５】
陰極電極２２０は、電極２２１，２２２からなる。電極２２１は、電気素子２００の正面２００Ｄ、上面２００Ａおよび底面２００Ｆに配置され、電気素子２００の幅方向ＤＲ２において導体板２０１，２０２の一方端に接続される。電極２２２は、電気素子２００の裏面２００Ｅ、上面２００Ａおよび底面２００Ｆに配置され、電気素子２００の幅方向ＤＲ２において導体板２０１，２０２の他方端に接続される。その結果、電極２２２は、電気素子２００の幅方向ＤＲ２において電極２２１に対向して配置される。
【０１５６】
このように、陰極電極２１０，２２０は、電気素子２００の幅方向ＤＲ２から電気素子２００を挟むように配置される。
【０１５７】
線Ｖ−Ｖ間における電気素子２００の断面図は、図５に示す断面図によって示される。この場合、図５に示す電極３１，３２をそれぞれ電極２１１，２１２または電極２２１，２２２に代え、図５に示す導体板５１，５２をそれぞれ導体板２０１，２０２に代えればよい。
【０１５８】
また、線ＶＩ−ＶＩ間における電気素子２００の断面図は、図６に示す断面図によって示される。この場合、図６に示す導体板５１，５２をそれぞれ導体板２０１，２０２に代えればよい。
【０１５９】
図１９は、図１８に示す導体板４１，２０１の平面図である。図１９を参照して、導体板２０１は、長さＬ２および厚みｄを有する。そして、導体板２０１は、本体部２０１１と、引出部２０１２〜２０１５とからなる。本体部２０１１は、長さＬ２および幅Ｗ３を有する。引出部２０１２，２０１４は、幅方向ＤＲ２において本体部２０１１の一方端側に配置される。引出部２０１３，２０１５は、幅方向ＤＲ２において本体部２０１１の他方端側に配置される。
【０１６０】
引出部２０１２は、長さＬ１４を有し、導体板２０１の一方端から距離Ｌ５の位置に配置される。引出部２０１４は、長さＬ１４を有し、導体板２０１の他方端から距離Ｌ５の位置に配置される。そして、引出部２０１２と引出部２０１４との間隔は、距離Ｌ１５に設定される。
【０１６１】
引出部２０１３，２０１５は、長さＬ１４を有し、引出部２０１２，２０１４と同じように導体板２０１の幅方向ＤＲ２における他方端側に配置される。
【０１６２】
その結果、引出部２０１３，２０１５は、幅方向ＤＲ２においてそれぞれ引出部２０１２，２０１４に対向して配置される。
【０１６３】
また、導体板２０１は、引出部２０１２，２０１３が配置された部分、および引出部２０１４，２０１５が配置された部分において幅Ｗ１を有する。
【０１６４】
さらに、引出部２０１２，２０１３が導体板２０１の一方端から距離Ｌ５の位置に配置され、引出部２０１４，２０１５が導体板２０１の他方端から距離Ｌ５の位置に配置される結果、導体板４１の引出部４１２と導体板２０１の引出部２０１２，２０１３との距離および導体板４１の引出部４１３と導体板２０１の引出部２０１４，２０１５との距離は、距離Ｌ７に設定される。
【０１６５】
この場合、長さＬ１４は、たとえば、２．０ｍｍに設定され、距離Ｌ１５は、たとえば、１．０ｍｍに設定される。
【０１６６】
なお、図１８に示す導体板２０２は、図１９に示す導体板２０１と同じ形状および寸法からなる。
【０１６７】
電気素子２００においては、クリアランスは、｛Ｌ１−（２×Ｌ３）−（２×Ｌ１４）−Ｌ１５｝／２＝Ｌ７によって演算される。そして、電気素子２００においても、全長に対するクリアランスの割合（＝（２×Ｌ７）／Ｌ１）は、基準値よりも小さい値に設定される。
【０１６８】
したがって、電気素子２００のインダクタンスを従来の電気素子５００のインダクタンスよりも小さくできる。
【０１６９】
電気素子２００は、図８および図９に示す工程（ａ）〜工程（ｅ）に従って作製される。この場合、図８に示す工程（ａ）において、引出部２０１２〜２０１５を有する導体板２０１，２０２がそれぞれ誘電体層１，３上に作製される。
【０１７０】
なお、実施の形態２においては、導体板２０１，２０２は、「第２の導体板」を構成する。
【０１７１】
また、陰極電極２１０は、「第１の陰極電極」を構成し、陰極電極２２０は、「第２の陰極電極」を構成する。
【０１７２】
さらに、引出部２０１２，２０１４は、「第３の引出部」を構成し、引出部２０１３，２０１５は、「第４の引出部」を構成する。
【０１７３】
さらに、引出部２０１２は、「第５の引出部」を構成し、引出部２０１４は、「第６の引出部」を構成し、引出部２０１３は、「第７の引出部」を構成し、引出部２０１５は、「第８の引出部」を構成する。
【０１７４】
さらに、誘電体層１〜５および導体板４１，４２，２０１，２０２は、「直方体」を構成する。
【０１７５】
その他は、実施の形態１と同じである。
【０１７６】
［実施の形態３］
図２０は、実施の形態３による電気素子３００の斜視図である。図２０を参照して、実施の形態３による電気素子３００は、図１に示す電気素子１００の導体板４１，４２をそれぞれ導体板３１１，３１２に代えたものであり、その他は、電気素子１００と同じである。
【０１７７】
なお、電気素子３００の上面３００Ａ、側面３００Ｂ，３００Ｃ、正面３００Ｄ、裏面３００Ｅおよび底面３００Ｆは、それぞれ、電気素子１００の上面１００Ａ、側面１００Ｂ，１００Ｃ、正面１００Ｄ、裏面１００Ｅおよび底面１００Ｆに相当する。
【０１７８】
導体板３１１は、誘電体層２，３間に配置され、導体板３１２は、誘電体層４，５間に配置される。導体板３１１，３１２の各々は、電気素子３００の長さ方向ＤＲ１において、その一方端が陽極電極１０に接続され、他方端が陽極電極２０に接続される。そして、導体板３１１，３１２の各々は、たとえば、ニッケルからなり、厚みｄを有する。
【０１７９】
図２１は、図２０に示す導体板３１１，５１の平面図である。図２１を参照して、導体板３１１は、略長方形からなり、長さ方向ＤＲ１において長さＬ１を有し、長さ方向ＤＲ１の全領域において一定の幅Ｗ２を有する。なお、図２０に示す導体板３１２は、図２１に示す導体板３１１と同じ形状および同じ寸法を有する。
【０１８０】
図２２は、図２０に示す一方の導体板３１１と陽極電極１０，２０との接続状態および図２０に示す他方の導体板５１と陰極電極３０との接続状態を示す平面図である。図２２を参照して、導体板３１１は、長さ方向ＤＲ１の一方端に配置された端面３１１Ａが陽極電極１０の電極１１に接続され、長さ方向ＤＲ１の他方端に配置された端面３１１Ｂが陽極電極２０の電極２１に接続される。この場合、陽極電極１０の電極１２，１４および陽極電極２０の電極２２，２４は、導体板３１１に接続されない。
【０１８１】
そして、導体板３１１と陽極電極１０との接続部（端面３１１Ａ）と陰極電極３０との距離および導体板３１１と陽極電極２０との接続部（端面３１１Ｂ）と陰極電極３０との距離は、Ｌ１６に設定される。
【０１８２】
電気素子３００においては、導体板５１，３１１および誘電体層２は、１個のコンデンサを構成し、このコンデンサの導体板５１，３１１間で交流電流が流れるとき、インダクタンスＬｄ２は、距離Ｌ１６によって決定される。したがって、電気素子３００においては、クリアランスは、距離Ｌ１６からなり、この距離Ｌ１６は、陽極電極１０，２０と陰極電極３０との距離Ｌ７よりも長く、電気素子３００の全長Ｌ１に対する距離Ｌ１６の割合が基準値よりも小さくなるように決定される。
【０１８３】
このように、電気素子３００においては、陽極電極１０，２０に接続される導体板３１１，３１２は、長さ方向ＤＲ１の全領域において略一定の幅Ｗ２を有する平面形状からなり、全長Ｌ１に対するクリアランス（＝距離Ｌ１６）の割合（＝２×Ｌ１６／Ｌ１）が基準値よりも小さい値に設定される。
【０１８４】
したがって、電気素子３００のインダクタンスを従来の電気素子５００のインダクタンスよりも小さくできる。
【０１８５】
電気素子３００は、図８および図９に示す工程（ａ）〜工程（ｅ）に従って作製される。この場合、図８に示す工程（ａ）において、導体板３１１，３１２がそれぞれ誘電体層１，３上に作製される。
【０１８６】
図２３は、実施の形態３による他の電気素子の斜視図である。実施の形態３による電気素子は、図２３に示す電気素子４００であってもよい。図２３を参照して、電気素子４００は、図１０に示す従来の電気素子５００の陰極電極５６０を陰極電極３０に代えたものであり、その他は、電気素子５００と同じである。
【０１８７】
なお、電気素子４００の上面４００Ａ、側面４００Ｂ，４００Ｃ、正面４００Ｄ、裏面４００Ｅおよび底面４００Ｆは、それぞれ、電気素子１００の上面１００Ａ、側面１００Ｂ，１００Ｃ、正面１００Ｄ、裏面１００Ｅおよび底面１００Ｆに相当する。
【０１８８】
電気素子４００においては、陽極電極５４０，５５０と陰極電極３０との距離が距離Ｌ７に設定されるように陰極電極３０が電気素子４００の上面４００Ａ、正面４００Ｄ、裏面４００Ｅおよび底面４００Ｆに形成される。
【０１８９】
図２４は、図２３に示す一方の導体板５２１と陽極電極５４０，５５０との接続状態および図２３に示す他方の導体板５１と陰極電極３０との接続状態を示す平面図である。図２４を参照して、導体板５２１は、電気素子４００の長さ方向ＤＲ１の一方端に配置された端面５２１Ａが陽極電極５４０の電極５４１に接続され、長さ方向ＤＲ１の他方端に配置された端面５２１Ｂが陽極電極５５０の電極５５１に接続される。この場合、陽極電極５４０の電極５４２，５４４および陽極電極５５０の電極５５２，５５４は、導体板５２１に接続されない。
【０１９０】
一方、導体板５３１の引出部５３１Ａは、陰極電極３０の電極３１に接続され、引出部５３１Ｂは、陰極電極３０の電極３２に接続される。そして、電極３１，３２の各々は、引出部５３１Ａ，５３１Ｂよりも長い。
【０１９１】
図２５は、図２３に示す電気素子４００の実装状態を示す斜視図である。図２５を参照して、導体板６１０，６２０，６３０がプリント基板６００上に配置される。そして、導体板６１０は、電気素子４００の陽極電極５４０に接続され、導体板６２０は、電気素子４００の陽極電極５５０に接続され、導体板６３０は、電気素子４００の陰極電極３０（電極３１）に接続される（図２５の（ａ）参照）。なお、図２５の（ａ）には、図示されていないが、電気素子４００の陰極電極３０（電極３２）に接続された導体板がプリント基板６００上に配置されている。
【０１９２】
そして、導体板６３０は、陰極電極３０（電極３１）と同じ長さを有する。その結果、導体板６１０，６２０と導体板６３０との距離は、陽極電極５４０，５５０と陰極電極３０との距離Ｌ７に略等しくなる。
【０１９３】
一方、陰極電極３０（電極３１，３２）よりも短い導体板６４０がプリント基板６００上に配置された場合、導体板６１０，６２０と導体板６４０との距離は、陽極電極５４０，５５０と陰極電極３０との距離Ｌ７よりも長い（図２５の（ｂ）参照）。
【０１９４】
その結果、交流電流が電気素子４００に流れる場合、導体板６３０がプリント基板６００上に配置された方が電気素子４００のインダクタンスは、小さくなる。交流電流は、プリント基板６００に配置された導体板６１０，６２０，６３０（または導体板６１０，６２０，６４０）を介して電気素子４００に流れるので、電気素子４００の陽極電極５４０，５５０に接続された導体板６１０，６２０と電気素子４００の陰極電極３０に接続された導体板６３０，６４０との距離がインダクタンスＬｄ２を決定する要因になるからである。
【０１９５】
したがって、電気素子４００においては、クリアランスは、陽極電極５４０，５５０と陰極電極３０との距離Ｌ７からなり、全長Ｌ１に対するクリアランスの割合が基準値よりも小さい値に設定される。したがって、電気素子４００のインダクタンスを従来の電気素子５００のインダクタンスよりも小さくできる。
【０１９６】
このように、実施の形態３による電気素子は、従来の電気素子５００において、全長に対する陽極電極と陰極電極との距離の割合を基準値よりも小さい値に設定した電気素子であってもよい。
【０１９７】
電気素子４００は、図８および図９に示す工程（ａ）〜（ｅ）に従って作製される。
【０１９８】
図２６は、図２３に示す電気素子４００の他の製造方法を示す工程図である。図２６を参照して、一連の動作が開始されると、電気素子５００を基板から取り外し（図２６の（ａ）参照）、その後、陽極電極５４０，５５０との距離が距離Ｌ７になるように陰極電極３０を陰極電極５６０に重ねて形成する（図２６の（ｂ）参照）。この陰極電極３０を形成する工程は、より具体的には、陰極電極３０用のＮｉペーストを塗布する工程と、その塗布したＮｉペーストを焼成する工程とからなる。これによって、電気素子４００が完成する。
【０１９９】
図２７は、図２３に示す電気素子４００のさらに他の製造方法を示す工程図である。図２７を参照して、一連の動作が開始されると、電気素子５００を基板から取り外し（図２７の（ａ）参照）、電気素子５００の陰極電極５６０を除去する（図２７の（ｂ）参照）。その後、陽極電極５４０，５５０との距離が距離Ｌ７になるように陰極電極３０を形成する（図２７の（ｃ）参照）。この陰極電極３０を形成する工程は、より具体的には、陰極電極３０用のＮｉペーストを塗布する工程と、その塗布したＮｉペーストを焼成する工程とからなる。これによって電気素子４００が完成する。
【０２００】
このように、電気素子４００は、従来の電気素子５００における陽極電極５４０，５５０と陰極電極５６０との距離が短くなるように陰極電極３０を形成する方法によっても製造される。
【０２０１】
さらに、実施の形態３による電気素子は、電気素子１００，２００において引出部５１２，５１３；７１２，７１３；２０１２〜２０１５よりも長い長さを有する陰極電極を形成した電気素子であってもよい。
【０２０２】
なお、実施の形態３においては、導体板３１１，３１２は、「第１の導体板」を構成する。
【０２０３】
また、導体板５２１，５２２は、「第１の導体板」を構成する。
【０２０４】
さらに、誘電体層５０１〜５０５および導体板５２１，５２２，５３１，５３２は、「直方体」を構成する。
【０２０５】
その他は、実施の形態１と同じである。
【０２０６】
上記においては、この発明による電気素子は、図８および図９に示す製造方法、図２６に示す製造方法および図２７に示す製造方法によって作製されると説明したが、この発明においては、これに限らず、この発明による電気素子の製造方法は、上述した基準値を検出する工程と、全長に対するクリアランスの割合を基準値よりも小さい値に設定して陰極電極を形成する工程とを備えていればよい。
【０２０７】
また、上記においては、電気素子１００，２００，３００，４００は、直流電源９０とＣＰＵ１３０との間に配置され、直流電源９０からの直流電流をＣＰＵ１３０に供給するとともに、ＣＰＵ１３０で発生した不要な高周波電流が直流電源９０側へ漏洩するのを抑制するように使用されると説明したが、この発明においては、これに限らず、電気素子１００，２００，３００，４００は、直流電源９０とＣＰＵ１３０との間に接続されたコンデンサとともに使用されてもよい。この場合、電気素子１００，２００，３００，４００は、主に、ＣＰＵ１３０で発生した不要な高周波電流が直流電源９０側へ漏洩するのを抑制する。
【０２０８】
したがって、この発明による電気素子１００，２００，３００，４００は、直流電源９０からの直流電流を蓄積してＣＰＵ１３０へ供給するコンデンサの機能と、ＣＰＵ１３０で発生した不要な高周波電流が直流電源９０側へ漏洩するのを抑制するノイズフィルタの機能とを併せ持つように使用されてもよいし、ＣＰＵ１３０で発生した不要な高周波電流が直流電源９０側へ漏洩するのを抑制するノイズフィルタの機能のみを持つように使用されてもよい。
【０２０９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２１０】
この発明は、従来の伝送線路型ノイズフィルタよりもインダクタンスを低減可能な電気素子に適用される。また、この発明は、従来の伝送線路型ノイズフィルタよりもインダクタンスを低減可能な電気素子の製造方法に適用される。
【図面の簡単な説明】
【０２１１】
【図１】この発明の実施の形態１による電気素子の斜視図である。
【図２】図１に示す誘電体層および導体板の寸法を説明するための図である。
【図３】図２に示す導体板の平面図である。
【図４】隣接する２つの導体板の平面図である。
【図５】図１に示す線Ｖ−Ｖ間における電気素子の断面図である。
【図６】図１に示す線ＶＩ−ＶＩ間における電気素子の断面図である。
【図７】陽極電極と導体板との接続状態および陰極電極と導体板との接続状態を示す平面図である。
【図８】図１に示す電気素子の製造方法を説明するための第１の工程図である。
【図９】図１に示す電気素子の製造方法を説明するための第２の工程図である。
【図１０】従来の電気素子の斜視図である。
【図１１】電気素子のインピーダンスと周波数との関係を示す図である。
【図１２】電気素子の等価回路である。
【図１３】この発明による電気素子における１つのコンデンサの構成を示す斜視図である。
【図１４】従来の電気素子における１つのコンデンサの構成を示す斜視図である。
【図１５】図１に示す電気素子の使用状態を示す概念図である。
【図１６】実施の形態１における他の導体板の平面図である。
【図１７】図１６に示す一方の導体板と陽極電極との接続状態および図１６に示す他方の導体板と陰極電極との接続状態を示す平面図である。
【図１８】実施の形態２による電気素子の斜視図である。
【図１９】図１８に示す導体板の平面図である。
【図２０】実施の形態３による電気素子の斜視図である。
【図２１】図２０に示す導体板の平面図である。
【図２２】図２０に示す一方の導体板と陽極電極との接続状態および図２０に示す他方の導体板と陰極電極との接続状態を示す平面図である。
【図２３】実施の形態３による他の電気素子の斜視図である。
【図２４】図２３に示す一方の導体板と陽極電極との接続状態および図２３に示す他方の導体板と陰極電極との接続状態を示す平面図である。
【図２５】図２３に示す電気素子の実装状態を示す斜視図である。
【図２６】図２３に示す電気素子の他の製造方法を示す工程図である。
【図２７】図２３に示す電気素子のさらに他の製造方法を示す工程図である。
【符号の説明】
【０２１２】
１〜５，５０１〜５０５  誘電体層、１Ａ，１００Ｅ，２００Ｅ，３００Ｅ，４００Ｅ，５００Ｅ  裏面、１Ｂ，２Ａ  表面、５Ａ，１００Ａ，２００Ａ，３００Ａ，４００Ａ，５００Ａ  上面、１０，２０，５４０，５５０  陽極電極、１１〜１５，２１〜２５，３１，３２，５４１〜５４５，５５１〜５５５，５６１，５６２  電極、３０，５６０  陰極電極、４１，４２，５１，５２，６１，７１，２１１，２１２，３１１，３１２，５２１，５２２，５３１，５３２，６１０，６２０，６３０，６４０  導体板、６０  重複部分、９０  電源、９１，１３１  正極端子、９２，１３２  負極端子、１００，２００，３００，４００，５００  電気素子、１００Ｂ，１００Ｃ，２００Ｂ，２００Ｃ，３００Ｂ，３００Ｃ，４００Ｂ，４００Ｃ，５００Ｂ，５００Ｃ  側面、１００Ｄ，２００Ｄ，３００Ｄ，４００Ｄ，５００Ｄ  正面、１００Ｆ，２００Ｆ，３００Ｆ，４００Ｆ，５００Ｆ  底面、１２１Ｌ〜１２４Ｌ  リード線、１３０  ＣＰＵ、４１１，５１１，６１１  本体部、４１２，４１３，５１２，５１３，５３１Ａ，５３１Ｂ，６１２，６１３，７１２，７１３  引出部、４１２Ａ，４１２Ｂ，４１２Ｃ，４１３Ａ，４１３Ｂ，４１３Ｃ，６１２Ａ，６１２Ｂ，６１２Ｃ，６１３Ａ，６１３Ｂ，６１３Ｃ  端面、６００  プリント基板。
【図１】
2010177717.tif 000005
【図２】
2010177717.tif 000006
【図３】
2010177717.tif 000007
【図４】
2010177717.tif 000008
【図５】
2010177717.tif 000009
【図６】
2010177717.tif 000010
【図７】
2010177717.tif 000011
【図８】
2010177717.tif 000012
【図９】
2010177717.tif 000013
【図１０】
2010177717.tif 000014
【図１１】
2010177717.tif 000015
【図１２】
2010177717.tif 000016
【図１３】
2010177717.tif 000017
【図１４】
2010177717.tif 000018
【図１５】
2010177717.tif 000019
【図１６】
2010177717.tif 000020
【図１７】
2010177717.tif 000021
【図１８】
2010177717.tif 000022
【図１９】
2010177717.tif 000023
【図２０】
2010177717.tif 000024
【図２１】
2010177717.tif 000025
【図２２】
2010177717.tif 000026
【図２３】
2010177717.tif 000027
【図２４】
2010177717.tif 000028
【図２５】
2010177717.tif 000029
【図２６】
2010177717.tif 000030
【図２７】
2010177717.tif 000031